(57)【要約】【課題】  情報送信装置の消費電力を抑えつつ、情報送信装置が送信した信号と他の信号との混信を防止することが可能な情報送信装置および受信機を提供する。【解決手段】  記憶部１０９は、地域と、その地域にてＦＭ放送受信機２００が受信可能な放送信号の周波数を示すＦＭ放送周波数と、その地域に隣接する隣接地域と、を地域ごとに関連づけて格納する。ＦＭトランスミッタ制御部１１２は、位置情報が示す現在位置を含む地域を記憶部１０９から選択し、その地域と関連づけられたＦＭ放送周波数と隣接地域を記憶部１０９から読み出し、その隣接地域を示す地域を記憶部１０９から選択し、その選択された地域と関連づけられたＦＭ放送周波数１０９ｂを記憶部１０９から読み出す。ＦＭトランスミッタ制御部１１２は、それら読み出された周波数と異なる送信周波数を、ＦＭ放送受信機２００が受信可能なＦＭ放送周波数帯から特定する。【選択図】      図１
2007036583.tif 000002
【特許請求の範囲】
【請求項１】
所定の情報を、所定変調方式の信号を受信する受信機が受信可能な周波数帯の送信信号に変換し、該送信信号を送信する情報送信装置であって、
地域に関連づけて、前記地域にて前記受信機が受信可能な放送信号の周波数と、前記地域に隣接する隣接地域と、を格納する格納部と、
現在位置を検出する位置検出部と、
前記位置検出部にて前記現在位置が検出されると、該現在位置を含む地域と関連づけられた周波数および隣接地域を前記格納部から読み出し、その読み出された隣接地域と関連づけられた周波数を前記格納部から読み出し、それら読み出された周波数と異なる送信周波数を、前記受信機が受信可能な周波数帯から特定する制御部と、
前記制御部にて特定された送信周波数の搬送波を生成する信号生成部と、
前記所定の情報を出力する出力部と、
前記信号生成部にて生成された搬送波を、前記出力部から出力された所定の情報に基づいて前記所定変調方式で変調して前記送信信号を生成し、該送信信号を送信する送信部と、を含む情報送信装置。
【請求項２】
請求項１に記載の情報送信装置において、
前記位置検出部は、ＧＰＳ衛星から送信されるＧＰＳ信号に基づいて前記現在位置を検出する、情報送信装置。
【請求項３】
請求項１に記載の情報送信装置において、
前記位置検出部は、携帯電話基地局から送信される位置情報に基づいて前記現在位置を検出する、情報送信装置。
【請求項４】
請求項１ないし３のいずれか１項に記載の情報送信装置において、
前記制御部にて特定された送信周波数を表示する表示部をさらに含む、情報送信装置。
【請求項５】
請求項１ないし４のいずれか１項に記載の情報送信装置において、
前記制御部にて特定された送信周波数を音声で出力する音声出力部をさらに含む、情報送信装置。
【請求項６】
情報送信装置から送信された所定変調方式の送信信号を受信する受信機であって、
前記所定変調方式で変調された所定周波数帯の信号を受信可能な受信部と、
前記受信部の受信周波数を前記所定周波数帯内で変更していき、その変更の間に前記受信部が受信した信号の周波数を検出し、その検出された周波数と異なる周波数を前記所定周波数帯から特定し、その特定された周波数を受信周波数として前記受信部に設定する制御部と、
前記制御部にて特定された周波数を出力する出力部と、を含む受信機。
【請求項７】
請求項６に記載の受信機において、
前記出力部は、前記制御部にて特定された周波数を前記情報送信装置に送信する通信部である、受信機。
【請求項８】
請求項６に記載の受信機において、
前記出力部は、前記制御部にて特定された周波数を示す周波数情報を表示する表示部である、受信機。
【請求項９】
地域に関連づけて、前記地域にて前記受信機が受信可能な放送信号の周波数と、前記地域に隣接する隣接地域と、を格納する格納部を含み、所定の情報を、所定変調方式の信号を受信する受信機が受信可能な周波数帯の送信信号に変換し、該送信信号を送信する情報送信装置が行う周波数特定方法であって、
現在位置を検出する位置検出ステップと、
前記現在位置が検出されると、該現在位置を含む地域と関連づけられた周波数および隣接地域を前記格納部から読み出す地域情報読出ステップと、
前記読み出された隣接地域と関連づけられた周波数を前記格納部から読み出す隣接地域情報読出ステップと、
前記地域情報読出ステップおよび前記隣接地域情報読出ステップで読み出された周波数と異なる送信周波数を、前記受信機が受信可能な周波数帯から特定する特定ステップと、
前記特定された送信周波数の搬送波を生成する信号生成ステップと、
前記生成された搬送波を、前記所定の情報に基づいて前記所定変調方式で変調して前記送信信号を生成し、該送信信号を送信する送信ステップと、を含む周波数特定方法。
【請求項１０】
請求項９に記載の周波数特定方法において、
前記位置検出ステップでは、ＧＰＳ衛星から送信されるＧＰＳ信号に基づいて前記現在位置を検出する、周波数特定方法。
【請求項１１】
請求項９に記載の周波数特定方法において、
前記位置検出ステップでは、携帯電話基地局から送信される位置情報に基づいて前記現在位置を検出する、周波数特定方法。
【請求項１２】
請求項９ないし１１のいずれか１項に記載の周波数特定方法において、
前記特定された送信周波数を表示する表示ステップをさらに含む、周波数特定方法。
【請求項１３】
請求項９ないし１２のいずれか１項に記載の周波数特定方法において、
前記特定された送信周波数を音声で出力する音声出力ステップをさらに含む、周波数特定方法。
【請求項１４】
情報送信装置から送信された所定変調方式の送信信号を受信する受信機が行う周波数特定方法であって、
受信周波数を所定周波数帯内で変更していき、その変更の間に受信した信号の周波数を検出する検出ステップと、
前記検出された周波数と異なる周波数を前記所定周波数帯から特定する特定ステップと、
前記特定された周波数を受信周波数として設定する設定ステップと、
前記特定された周波数を出力する出力ステップと、を含む周波数特定方法。
【請求項１５】
請求項１４に記載の周波数特定方法において、
前記出力ステップでは、前記特定された周波数を前記情報送信装置に送信する、周波数特定方法。
【請求項１６】
請求項１４に記載の周波数特定方法において、
前記出力ステップでは、前記特定された周波数を示す周波数情報を表示する、周波数特定方法。
【発明の詳細な説明】
【技術分野】
【０００１】
本発明は、情報送信装置、受信機および周波数特定方法に関し、特には、音声などの情報を、ＦＭ受信機などの受信機にて受信可能な送信信号に変調し、その送信信号を送信する情報送信装置、その送信信号を受信する受信機、および、その送信信号の周波数を特定する周波数特定方法に関する。
【背景技術】
【０００２】
近年、オーディオ圧縮技術およびメモリの大容量化技術などの発達により、大量の音楽を記録できるポータブル音楽プレイヤーが普及している。ポータブル音楽プレイヤーは、通常、ヘッドフォンまたはイヤホンを介して、ユーザに音楽を提供する。
【０００３】
しかしながら、例えば、車の中ではポータブル音楽プレイヤーに記録された音楽を車載スピーカから出力したいというニーズも多い。
【０００４】
特許文献１（特開平９−２１６４９号公報）には、ＦＭトランスミッタを用いることによって、音楽プレイヤーに記録された音楽を車載スピーカから出力させるナビゲーションシステムが記載されている。
【０００５】
ＦＭトランスミッタは、ポータブル音楽プレイヤーから出力された音楽情報を、ＦＭ放送周波数帯の微弱電波で送信する。車載ＦＭラジオ受信機が、ＦＭトランスミッタから送信された電波を受信すると、車載ＦＭラジオ受信機と接続された車載スピーカは、ポータブル音楽プレイヤーから出力された音楽情報に応じた音楽を出力する。
【０００６】
ＦＭトランスミッタは、複雑な配線を必要とせず、また、ＦＭ放送が受信可能なラジオ受信機さえあれば、音楽等の情報をラジオ受信機に提供できる。このため、ＦＭトランスミッタは、非常に利便性が高い。
【０００７】
また、最近の携帯電話機には、様々な機能が付加されている。例えば、多くの携帯電話機は、音楽を再生できる。このため、携帯電話機は、ポータブル音楽プレイヤーとしても使われるようになっている。
【０００８】
このような携帯電話機に、ＦＭトランスミッタ機能が搭載されると、配線なしで車載スピーカから音楽を再生可能になる。このため、ＦＭトランスミッタ機能を音楽再生可能な携帯電話機に搭載することは、非常に有用であると考えられている。
【０００９】
しかしながら、ＦＭトランスミッタから発信される電波は、ＦＭラジオ受信機にて受信されるため、ＦＭトランスミッタは、ＦＭラジオ受信機にて受信可能なＦＭ放送周波数帯の電波を送信しなければならない。
【００１０】
したがって、ＦＭトランスミッタの送信周波数が、ＦＭラジオの放送周波数と同じになると、ＦＭトランスミッタから送信された電波が、ＦＭラジオ放送と混信してしまう。
【００１１】
特許文献１に記載のナビゲーションシステムでは、ＦＭトランスミッタの送信周波数がＦＭ放送周波数と異なるように、使用者が、ＦＭトランスミッタの送信周波数を設定しなければならなかった。
【００１２】
しかし、この設定は、手間がかかる上に、混信を完全に避けることは難しいという問題があった。
【００１３】
特許文献２（特開平１１−１２２１２９号公報）には、ＦＭトランスミッタの送信周波数がＦＭ放送周波数と異なるように、ＦＭトランスミッタの送信周波数を自動的に設定する送信機が記載されている。
【００１４】
以下、特許文献２に記載の送信機について簡単に説明する。
【００１５】
この送信機は、ＦＭ受信回路の受信周波数をＦＭ周波数帯全域に渡って変更していき、その変更の間にＦＭ受信回路が受信した信号の周波数を検出し、その検出の結果から、空いている周波数を検出し、その検出された周波数を、ＦＭトランスミッタの送信周波数として設定する。
【００１６】
また、特許文献３（特開平１０−１５０３７４号公報）には、現在位置にて受信可能なＦＭ放送信号の周波数を、現在位置情報に基づいて特定する放送受信装置が記載されている。
【００１７】
以下、特許文献３に記載の放送受信装置について簡単に説明する。
【００１８】
この放送受信装置は、現在位置情報を出力するＧＰＳ受信機と、放送エリアとその放送エリアにて受信可能な放送信号の周波数とが放送エリアごとに関連づけて格納されたデータベースと、受信周波数自動設定部と、を含む。
【００１９】
受信周波数自動設定部は、ＧＰＳ受信機から現在位置情報を受け付けると、その現在位置情報にて示される現在位置を含む放送エリアで受信可能な放送信号の周波数を、データベースから読み出す。
【特許文献１】特開平９−２１６４９号公報
【特許文献２】特開平１１−１２２１２９号公報
【特許文献３】特開平１０−１５０３７４号公報
【発明の開示】
【発明が解決しようとする課題】
【００２０】
特許文献２に記載の送信機は、ＦＭ受信回路が受信する可能性のある放送信号の周波数を特定するために、ＦＭ受信回路の受信周波数をＦＭ周波数帯全域に渡って変更していき、その変更の間にＦＭ受信回路が受信した放送信号の周波数を検出する。
【００２１】
このため、送信機の消費電力が大きくなる。
【００２２】
一方、特許文献３に記載の放送受信装置は、現在位置にて受信可能なＦＭ放送信号の周波数を、現在位置情報に基づいて特定する。
【００２３】
このため、特許文献３に記載の放送受信装置は、受信周波数をＦＭ周波数帯全域に渡って変更して受信可能な放送信号を検出する場合に比べて、受信可能な放送信号の周波数を特定するために要する消費電力を小さくすることが可能となる。
【００２４】
よって、特許文献３に記載された技術が、特許文献２に記載の送信機に適用されれば、送信機の消費電力を小さくすることが可能になるかもしれない。
【００２５】
しかしながら、特許文献３に記載の放送受信装置は、実際に、ＦＭ周波数帯の放送信号を受信していない。このため、この放送受信装置は、データベースに格納された放送エリアの境界付近に存在すると、その放送エリアと隣接する放送エリアで受信可能なＦＭ放送信号を受信してしまう可能性がある。
【００２６】
したがって、特許文献３に記載された技術が、特許文献２に記載の送信機に単に適用されると、ＦＭトランスミッタから送信された電波が、ＦＭ放送信号と混信する可能性が生じる。
【００２７】
本発明の目的は、情報送信装置の消費電力を抑えつつ、情報送信装置が送信した信号と放送信号との混信を防止することが可能な情報送信装置、受信機および周波数特定方法を提供することである。
【課題を解決するための手段】
【００２８】
上記の目的を達成するために、本発明の情報送信装置は、所定の情報を、所定変調方式の信号を受信する受信機が受信可能な周波数帯の送信信号に変換し、該送信信号を送信する情報送信装置であって、地域に関連づけて、前記地域にて前記受信機が受信可能な放送信号の周波数と、前記地域に隣接する隣接地域と、を格納する格納部と、現在位置を検出する位置検出部と、前記位置検出部にて前記現在位置が検出されると、該現在位置を含む地域と関連づけられた周波数および隣接地域を前記格納部から読み出し、その読み出された隣接地域と関連づけられた周波数を前記格納部から読み出し、それら読み出された周波数と異なる送信周波数を、前記受信機が受信可能な周波数帯から特定する制御部と、前記制御部にて特定された送信周波数の搬送波を生成する信号生成部と、前記所定の情報を出力する出力部と、前記信号生成部にて生成された搬送波を、前記出力部から出力された所定の情報に基づいて前記所定変調方式で変調して前記送信信号を生成し、該送信信号を送信する送信部とを含む。
【００２９】
また、本発明の周波数特定方法は、地域に関連づけて、前記地域にて前記受信機が受信可能な放送信号の周波数と、前記地域に隣接する隣接地域と、を格納する格納部を含み、所定の情報を、所定変調方式の信号を受信する受信機が受信可能な周波数帯の送信信号に変換し、該送信信号を送信する情報送信装置が行う周波数特定方法であって、現在位置を検出する位置検出ステップと、前記現在位置が検出されると、該現在位置を含む地域と関連づけられた周波数および隣接地域を前記格納部から読み出す地域情報読出ステップと、前記読み出された隣接地域と関連づけられた周波数を前記格納部から読み出す隣接地域情報読出ステップと、前記地域情報読出ステップおよび前記隣接地域情報読出ステップで読み出された周波数と異なる送信周波数を、前記受信機が受信可能な周波数帯から特定する特定ステップと、前記特定された送信周波数の搬送波を生成する信号生成ステップと、前記生成された搬送波を、前記所定の情報に基づいて前記所定変調方式で変調して前記送信信号を生成し、該送信信号を送信する送信ステップとを含む。
【００３０】
上記の発明によれば、現在位置が検出されると、現在位置を含む地域で受信機が受信可能な放送信号の周波数と、その地域の隣接地域で受信機が受信可能な放送信号の周波数とが、格納部から読み出される。
【００３１】
このため、受信機が受信する可能性のある放送信号の周波数を特定するために、従来のように受信周波数をＦＭ周波数帯全域に渡って変更して受信可能な放送信号の周波数を検出する必要がなくなる。よって、情報送信装置の消費電力を抑えることが可能になる。
【００３２】
また、現在位置を含む地域で受信機が受信可能な放送信号の周波数と異なり、かつ、その地域の隣接地域で受信機が受信可能な放送信号の周波数と異なる送信周波数が、受信機が受信可能な周波数帯から特定される。
【００３３】
このため、従来のように受信周波数をＦＭ周波数帯全域に渡って変更して受信可能な信号の周波数を検出しなくても、送信周波数が、受信機にて受信可能な放送信号の周波数と異なるように、送信周波数を特定することが可能となる。よって、情報送信装置から送信された信号と放送信号との混信を防止することが可能になる。
【００３４】
また、ＧＰＳ衛星から送信されるＧＰＳ信号に基づいて前記現在位置を検出することが望ましい。
【００３５】
上記の発明によれば、ＧＰＳ信号を用いて現在位置を検出することが可能になる。
【００３６】
また、携帯電話基地局から送信される位置情報に基づいて前記現在位置を検出することが望ましい。
【００３７】
上記の発明によれば、携帯電話基地局から送信される位置情報を用いて現在位置を検出することが可能になる。
【００３８】
また、前記特定された送信周波数を表示することが望ましい。
【００３９】
上記の発明によれば、特定された送信周波数を表示にてユーザに知らせることが可能になる。このため、ユーザは、その表示に基づいて、受信機の受信周波数を、その特定された送信周波数に設定すれば、受信機に送信信号を受信させることが可能になる。
【００４０】
また、前記特定された送信周波数を音声で出力することが望ましい。
【００４１】
上記の発明によれば、特定された送信周波数を音声でユーザに知らせることが可能になる。このため、ユーザは、その音声に基づいて、受信機の受信周波数を、その特定された送信周波数に設定すれば、受信機に送信信号を受信させることが可能になる。
【００４２】
また、本発明の受信機は、情報送信装置から送信された所定変調方式の送信信号を受信する受信機であって、前記所定変調方式で変調された所定周波数帯の信号を受信可能な受信部と、前記受信部の受信周波数を前記所定周波数帯内で変更していき、その変更の間に前記受信部が受信した信号の周波数を検出し、その検出された周波数と異なる周波数を前記所定周波数帯から特定し、その特定された周波数を受信周波数として前記受信部に設定する制御部と、前記制御部にて特定された周波数を出力する出力部とを含む。
【００４３】
また、本発明の周波数特定方法は、情報送信装置から送信された所定変調方式の送信信号を受信する受信機が行う周波数特定方法であって、受信周波数を所定周波数帯内で変更していき、その変更の間に受信した信号の周波数を検出する検出ステップと、前記検出された周波数と異なる周波数を前記所定周波数帯から特定する特定ステップと、前記特定された周波数を受信周波数として設定する設定ステップと、前記特定された周波数を出力する出力ステップとを含む。
【００４４】
上記の発明によれば、情報送信装置ではなく、受信機が、受信周波数を所定周波数帯内で変更していき、その変更の間に受信された信号の周波数を検出し、その検出された周波数と異なる周波数を所定周波数帯から特定する。
【００４５】
このため、情報送信装置は、受信周波数をＦＭ周波数帯全域に渡って変更して、受信可能な信号の周波数を検出する必要がなくなる。よって、情報送信装置の消費電力を抑えることが可能になる。
【００４６】
また、受信機は、その特定された周波数を受信周波数として設定し、また、その特定された周波数を出力する。
【００４７】
このため、送信信号の送信周波数が、その出力された周波数に設定されれば、送信信号の周波数は、受信機にて受信可能な放送信号の周波数と異なる。よって、情報送信装置から送信された信号と放送信号との混信を防止することが可能になる。また、受信機の受信周波数が、自動的に設定される。
【００４８】
また、その特定された周波数が、情報送信装置に送信されることが望ましい。
【００４９】
上記の発明によれば、情報送信装置は、その送信された周波数を受信し、送信信号の送信周波数を、その受信された周波数に設定することが可能になる。
【００５０】
また、その特定された周波数を示す周波数情報が、表示されることが望ましい。
【００５１】
上記の発明によれば、情報送信装置は、その表示された周波数を取り込み、送信信号の送信周波数を、その取り込まれた周波数に設定することが可能になる。
【発明の効果】
【００５２】
本発明によれば、情報送信装置の消費電力を抑えつつ、情報送信装置が送信した信号と放送信号との混信を防止することが可能になる。
【発明を実施するための最良の形態】
【００５３】
以下、本発明の実施例を図面を参照して説明する。
【００５４】
図１は、本発明の第１実施例の情報通信システムを示したブロック図である。
【００５５】
図１において、本情報通信システムは、携帯電話機１００と、ＦＭ放送受信機２００とを含む。
【００５６】
携帯電話機１００は、情報送信装置の一例である。なお、情報送信装置は、携帯電話機１００に限らず適宜変更可能である。
【００５７】
ＦＭ放送受信機２００は、受信機の一例である。なお、受信機は、ＦＭ放送受信機２００に限らず適宜変更可能である。
【００５８】
携帯電話機１００は、携帯電話用アンテナ部１０１と、携帯電話無線部１０２と、携帯電話変復調部１０３と、携帯電話制御部１０４と、ユーザインタフェイス部１０５と、ＬＣＤ表示部１０６と、音声出力部１０７と、記憶部（メモリ）１０８および１０９と、ＧＰＳ用アンテナ部１１０と、ＧＰＳ部１１１と、ＦＭトランスミッタ制御部１１２と、ＦＭトランスミッタ用局発部１１３と、送信部１１４と、ＦＭトランスミッタ用アンテナ部１１５とを含む。送信部１１４は、ＦＭトランスミッタ変調部１１４ａとＦＭトランスミッタ無線部１１４ｂとを含む。
【００５９】
ＦＭ放送受信機２００は、例えば、カーオーディオ機器であり、アンテナ部２００ａと、ＦＭチューナ部２００ｂと、制御部２００ｃと、スピーカ２００ｄとを含む。
【００６０】
なお、以下では、携帯電話用アンテナ部１０１をアンテナ部１０１と称し、ＧＰＳ用アンテナ部１１０をアンテナ部１１０と称し、ＦＭトランスミッタ用局発部１１３を発振部１１３と称し、ＦＭトランスミッタ用アンテナ部１１５をアンテナ部１１５と称する。
【００６１】
アンテナ部１０１と、携帯電話無線部１０２と、携帯電話変復調部１０３と、携帯電話制御部１０４とは、携帯電話通信を行うために必要な構成である。
【００６２】
携帯電話無線部１０２は、アンテナ部１０１を用いて、携帯電話信号を送信し、また、携帯電話信号を受信する。
【００６３】
携帯電話変復調部１０３は、携帯電話無線部１０２にて受信された携帯電話信号を復調してベースバンド信号を生成し、また、携帯電話制御部１０４から受け付けたベースバンド信号を変調して携帯電話信号を生成する。
【００６４】
携帯電話制御部１０４は、携帯電話通信を制御し、また、携帯電話機１００の全体的な制御も司る。
【００６５】
ユーザインタフェイス部１０５は、例えば、ユーザにて操作される操作ボタンであり、ユーザからの入力を受け付ける。
【００６６】
ＬＣＤ表示部１０６は、各種の情報を表示する。
【００６７】
音声出力部１０７は、音声を出力する。
【００６８】
記憶部１０８は、音楽などの情報（所定の情報）を格納する記録媒体である。なお、記憶部１０８は、携帯電話機１００に対して着脱可能であってもよい。
【００６９】
記憶部１０９は、格納部の一例である。
【００７０】
記憶部１０９は、地域と、その地域にてＦＭ放送受信機２００が受信可能な放送信号の周波数と、を関連づけて格納する。また、記憶部１０９は、その地域と、その地域に隣接する隣接地域と、を関連づけて格納する。また、記憶部１０９は、その隣接地域と、その隣接地域にてＦＭ放送受信機２００が受信可能な放送信号の周波数と、を関連づけて格納する。
【００７１】
図２は、記憶部１０９の一例を示した説明図である。
【００７２】
図２において、記憶部１０９は、地域１０９ａと、地域１０９ａにてＦＭ放送受信機２００が受信可能な放送信号の周波数を示すＦＭ放送周波数１０９ｂと、地域１０９ａに隣接する隣接地域１０９ｃと、を地域ごとに関連づけて格納する。
【００７３】
図１に戻って、アンテナ部１１０と、ＧＰＳ部１１１とは、ＧＰＳ通信を行うために必要な構成である。
【００７４】
アンテナ部１１０は、ＧＰＳ衛星から送信されたＧＰＳ信号を受け付ける。
【００７５】
ＧＰＳ部１１１は、アンテナ部１１０にて受け付けられたＧＰＳ信号に基づいて、現在位置を示す位置情報を生成する。ＧＰＳ部１１１は、その生成された位置情報を携帯電話制御部１０４に提供する。
【００７６】
なお、携帯電話制御部１０４は、ＧＰＳ部１１１から位置情報を受け付けると、その受け付けられた位置情報を、ＦＭトランスミッタ制御部１１２に提供する。また、携帯電話制御部１０４は、再生用の情報（例えば、記憶部１０８に格納されている音楽情報）を、ＦＭトランスミッタ制御部１１２に提供する。
【００７７】
ＦＭトランスミッタ制御部１１２と、発振部１１３と、送信部１１４と、アンテナ部１１５とは、ＦＭトランスミッタ機能を行うために必要な構成である。
【００７８】
ＦＭトランスミッタ制御部１１２は、携帯電話制御部１０４から位置情報を受け付け、また、携帯電話制御部１０４から再生用の情報を受け付ける。
【００７９】
また、ＦＭトランスミッタ制御部１１２は、その受け付けられた位置情報が示す現在位置を含む地域を、記憶部１０９に格納されている地域１０９ａから選択する。
【００８０】
ＦＭトランスミッタ制御部１１２は、その選択された地域１０９ａと関連づけられたＦＭ放送周波数１０９ｂおよび隣接地域１０９ｃを記憶部１０９から読み出す。
【００８１】
ＦＭトランスミッタ制御部１１２は、その読み出された隣接地域１０９ｃを示す地域を、記憶部１０９に格納されている地域１０９ａから選択する。
【００８２】
ＦＭトランスミッタ制御部１１２は、その選択された地域１０９ａ（具体的には、その読み出された隣接地域１０９ｃを示す地域）と関連づけられたＦＭ放送周波数１０９ｂを記憶部１０９から読み出す。
【００８３】
ＦＭトランスミッタ制御部１１２は、それら読み出された周波数（具体的には、現在位置を含む地域でＦＭ放送受信機２００が受信可能なＦＭ放送信号の周波数と、その地域の隣接地域でＦＭ放送受信機２００が受信可能なＦＭ放送信号の周波数）と異なる送信周波数を、ＦＭ放送受信機２００が受信可能なＦＭ放送周波数帯から特定する。
【００８４】
ＦＭトランスミッタ制御部１１２は、その特定された送信周波数の信号（搬送波）を、発振部１１３に生成させる。
【００８５】
また、ＦＭトランスミッタ制御部１１２は、その特定された送信周波数を、携帯電話制御部１０４に通知する。
【００８６】
携帯電話制御部１０４は、その特定された送信周波数を受け付けると、その送信周波数をＬＣＤ表示部１０６に表示し、また、その特定された送信周波数を音声出力部１０７から音声で出力させる。
【００８７】
このため、ユーザは、送信周波数を確認でき、ＦＭ放送受信機２００が、その送信周波数の送信信号を受信できるように、ＦＭ放送受信機２００の受信周波数を、その送信周波数に設定することができる。
【００８８】
発振部１１３は、ＦＭトランスミッタ制御部１１２の制御により、発振部１１３が生成する信号（搬送波）の周波数を変更する。発振部１１３は、その生成された送信周波数の信号を、送信部１１４に提供する。
【００８９】
また、ＦＭトランスミッタ制御部１１２は、携帯電話制御部１０４から受け付けられた再生用の情報を、送信部１１４に提供する。
【００９０】
送信部１１４は、発振部１１３から提供された信号（搬送波）を、ＦＭトランスミッタ制御部１１２から提供された再生用の情報に基づいてＦＭ変調して送信信号を生成する。送信部１１４は、その生成された送信信号に対して増幅等の処理を行い、その処理が施された送信信号を、アンテナ部１１５から送信する。
【００９１】
例えば、ＦＭトランスミッタ変調部１１４ａは、ＦＭトランスミッタ制御部１１２から提供された再生用の情報に基づいて、基準周波数の基準信号をＦＭ変調して基準変調信号を生成する。
【００９２】
ＦＭトランスミッタ無線部１１４ｂは、ＦＭトランスミッタ変調部１１４ａにて生成された基準変調信号の基準周波数が、発振部１１３から提供された信号の周波数になるように、基準変調信号を変更して送信信号を生成する。
【００９３】
ＦＭトランスミッタ無線部１１４ｂは、その生成された送信信号に対して、増幅等の処理を行い、その処理が施された送信信号を、アンテナ部１１５から送信する。
【００９４】
ＦＭ放送受信機２００のＦＭチューナ部２００ｂは、アンテナ部２００ａを介して、携帯電話機１００のアンテナ部１１５から送信された送信信号を受信する。
【００９５】
制御部２００ｃは、ＦＭチューナ部２００ｂにて受信された送信信号を復調して再生用の情報を生成し、その生成された再生用の情報に応じた音をスピーカ２００ｄから出力する。
【００９６】
次に、動作を説明する。
【００９７】
図３は、携帯電話機１００の動作を説明するためのフローチャートである。
【００９８】
以下、図３を参照して、携帯電話機１００の動作を説明する。
【００９９】
まず、ユーザインタフェイス部１０５が、ユーザから、ＦＭトランスミッタ機能を起動する旨の起動指示を受け付けると、携帯電話制御部１０４は、ステップ３０１を実行する。
【０１００】
ステップ３０１では、携帯電話制御部１０４は、ＧＰＳ部１１１を起動させる。
【０１０１】
ＧＰＳ部１１１は、起動すると、アンテナ部１１０にて受け付けられたＧＰＳ信号に基づいて、現在位置を示す位置情報を生成する。ＧＰＳ部１１１は、その生成された位置情報を携帯電話制御部１０４に提供する。
【０１０２】
携帯電話制御部１０４は、ＧＰＳ部１１１から位置情報を受け付けると、その受け付けられた位置情報を、ＦＭトランスミッタ制御部１１２に提供する。
【０１０３】
ＦＭトランスミッタ制御部１１２は、位置情報を受け付けると、ステップ３０２を実行する。
【０１０４】
ステップ３０２では、ＦＭトランスミッタ制御部１１２は、まず、その受け付けられた位置情報が示す現在位置を含む地域を、記憶部１０９に格納されている地域１０９ａから選択する。
【０１０５】
続いて、ＦＭトランスミッタ制御部１１２は、その選択された地域１０９ａと関連づけられたＦＭ放送周波数１０９ｂおよび隣接地域１０９ｃを、記憶部１０９から読み出す。
【０１０６】
続いて、ＦＭトランスミッタ制御部１１２は、その読み出された隣接地域１０９ｃを示す地域を、記憶部１０９に格納されている地域１０９ａから選択する。
【０１０７】
続いて、ＦＭトランスミッタ制御部１１２は、その選択された地域１０９ａ（具体的には、その読み出された隣接地域１０９ｃを示す地域）と関連づけられたＦＭ放送周波数１０９ｂを記憶部１０９から読み出す。
【０１０８】
ＦＭトランスミッタ制御部１１２は、現在位置を含む地域でＦＭ放送受信機２００が受信可能なＦＭ放送信号の周波数と、その地域の隣接地域でＦＭ放送受信機２００が受信可能なＦＭ放送信号の周波数と、を読み出すと、ステップ３０３を実行する。
【０１０９】
ステップ３０３では、ＦＭトランスミッタ制御部１１２は、それら読み出された周波数と異なる送信周波数を、ＦＭ放送受信機２００が受信可能なＦＭ放送周波数帯から特定する。
【０１１０】
以下、送信周波数を特定する動作の一例を説明する。
【０１１１】
まず、ＦＭトランスミッタ制御部１１２は、それら読み出された周波数を、周波数の小さい順に並べる。続いて、ＦＭトランスミッタ制御部１１２は、隣り合う周波数の間隔を測定する。
【０１１２】
続いて、ＦＭトランスミッタ制御部１１２は、その測定された間隔の中から、最も広い間隔を選択する。続いて、ＦＭトランスミッタ制御部１１２は、その選択された間隔を規定する２つの周波数を選定する。
【０１１３】
続いて、ＦＭトランスミッタ制御部１１２は、その選定された２つの周波数の中心の周波数を、送信周波数として決定する。
【０１１４】
ＦＭトランスミッタ制御部１１２は、送信周波数を特定すると、ステップ３０４を実行する。
【０１１５】
ステップ３０４では、ＦＭトランスミッタ制御部１１２は、その特定された送信周波数の信号を、発振部１１３に生成させる。発振部１１３は、その生成された送信周波数の信号を、送信部１１４に提供する。
【０１１６】
続いて、ＦＭトランスミッタ制御部１１２は、その特定された送信周波数を、携帯電話制御部１０４に通知する。
【０１１７】
携帯電話制御部１０４は、その特定された送信周波数を受け付けると、ステップ３０５を実行する。
【０１１８】
ステップ３０５では、携帯電話制御部１０４は、その受け付けられた送信周波数をＬＣＤ表示部１０６に表示する。
【０１１９】
図４は、ＬＣＤ表示部１０６がステップ３０５で表示する画面の一例を示した説明図である。
【０１２０】
図４に示したように、ＬＣＤ表示部１０６は、送信周波数（図４では、８４．２ＭＨｚ）を表示する。
【０１２１】
ユーザは、ＦＭ放送受信機２００が、その表示された送信周波数の送信信号を受信できるように、ＦＭチューナ部２００ｂを操作して、ＦＭ放送受信機２００の受信周波数を、その送信周波数に設定する。
【０１２２】
携帯電話制御部１０４は、ＬＣＤ表示部１０６に送信周波数を表示すると、再生用の情報を、ＦＭトランスミッタ制御部１１２に提供する。例えば、携帯電話制御部１０４は、記憶部１０８に格納されている音楽情報を、再生用の情報として、ＦＭトランスミッタ制御部１１２に提供する。
【０１２３】
ＦＭトランスミッタ制御部１１２は、再生用の情報を受け付けると、ステップ３０６を実行する。
【０１２４】
ステップ３０６では、まず、ＦＭトランスミッタ制御部１１２は、その受け付けられた再生用の情報を、送信部１１４に提供する。
【０１２５】
続いて、送信部１１４は、発振部１１３から提供された信号を、ＦＭトランスミッタ制御部１１２から提供された再生用の情報に基づいてＦＭ変調して送信信号を生成する。
【０１２６】
続いて、送信部１１４は、その生成された送信信号に対して増幅等の処理を行い、その処理が施された送信信号を、アンテナ部１１５から送信する。
【０１２７】
ＦＭ放送受信機２００のＦＭチューナ部２００ｂは、携帯電話機１００から送信された送信信号を受信する。ＦＭチューナ部２００ｂは、その受信された送信信号を制御部２００ｃに提供する。
【０１２８】
制御部２００ｃは、その提供された送信信号を復調して再生用の情報を生成し、その生成された再生用の情報に応じた音をスピーカ２００ｄから出力する。
【０１２９】
なお、本実施例は、以下のように変形されてもよい。
【０１３０】
１．本実施例では、現在位置を検出する位置検出部として、ＧＰＳ部１１１が用いられたが、位置検出部は、ＧＰＳ部１１１に限らず適宜変更可能である。
【０１３１】
例えば、位置検出部として、携帯電話基地局から送信される位置情報に基づいて現在位置を検出する位置特定部が用いられてもよい。この場合は、図２のステップ３０１において、位置特定部が、携帯電話基地局から送信される位置情報に基づいて現在位置を検出する。
【０１３２】
２．本実施例では、ＦＭトランスミッタ制御部１１２が、ステップ３０２および３０３を実行しているが、携帯電話制御部１０４が、ステップ３０２および３０３を実行し、ステップ３０３で特定された周波数をＦＭトランスミッタ制御部１１２に提供してもよい。
【０１３３】
３．記憶部１０９に格納される隣接地域１０９ｃは、地域１０９ａと隣り合う地域だけでなく、さらに他の地域を示してもよい。
【０１３４】
４．送信周波数は、放送信号の周波数間隔の中で一番広い周波数帯の中心としたが、放送信号と混信する可能性の低い他の周波数にしてもよい。例えば、送信周波数は、ＦＭ放送周波数帯の空き周波数であれば、任意の値に設定されてもよい。具体的には、送信周波数は、空き周波数の中の、一番低い周波数、または、一番高い周波数に特定されてもよい。
【０１３５】
５．送信周波数は、ＬＣＤ表示部１０６に表示されるだけでなく、音声出力部１０７から音声で出力されてもよい。
【０１３６】
本実施例によれば、現在位置が検出されると、ＦＭトランスミッタ制御部１１２は、現在位置を含む地域でＦＭ放送受信機２００が受信可能な放送信号の周波数と、その地域の隣接地域でＦＭ放送受信機２００が受信可能な放送信号の周波数とを、記憶部１０９から読み出す。
【０１３７】
このため、ＦＭ放送受信機２００が受信する可能性のある放送信号の周波数を特定するために、従来のように、受信周波数をＦＭ周波数帯全域に渡って変更して、受信可能な放送信号の周波数を検出する必要がなくなる。よって、携帯電話機１００の消費電力を抑えることが可能になる。
【０１３８】
また、ＦＭ放送受信機２００は、隣接地域で受信可能な放送信号を受信しても、その放送内容を、ユーザが認識できるように出力することは難しいかもしれない。しかしながら、その隣接地域で受信可能な放送信号は、送信信号のノイズとなる可能性がある。
【０１３９】
本実施例では、現在位置を含む地域でＦＭ放送受信機２００が受信可能な放送信号の周波数と異なり、かつ、その地域の隣接地域でＦＭ放送受信機２００が受信可能な放送信号の周波数と異なる送信周波数が、ＦＭ放送受信機２００が受信可能な周波数帯から特定される。
【０１４０】
このため、従来のように受信周波数をＦＭ周波数帯全域に渡って変更して受信可能な放送信号の周波数を検出しなくても、送信周波数が、ＦＭ放送受信機２００にて受信可能な放送信号の周波数と異なるように、送信周波数を特定することが可能となる。よって、携帯電話機１００から送信された送信信号と放送信号との混信を防止することが可能になる。
【０１４１】
また、本実施例では、ＧＰＳ部１１１は、ＧＰＳ衛星から送信されるＧＰＳ信号に基づいて現在位置を検出する。この場合、ＧＰＳ信号を用いて現在位置を検出することが可能になる。
【０１４２】
また、ＧＰＳ部１１１ではなく位置特定部が、携帯電話基地局から送信される位置情報に基づいて現在位置を検出すれば、携帯電話基地局から送信される位置情報を用いて現在位置を検出することが可能になる。
【０１４３】
また、本実施例では、ＬＣＤ表示部１０６は、ＦＭトランスミッタ制御部１１２にて特定された送信周波数を表示する。この場合、特定された送信周波数を表示にてユーザに知らせることが可能になる。
【０１４４】
このため、ユーザは、その表示に基づいて、ＦＭ放送受信機２００の受信周波数を、その特定された送信周波数に設定すれば、ＦＭ放送受信機２００に送信信号を受信させることが可能になる。
【０１４５】
また、本実施例では、音声出力部１０７は、ＦＭトランスミッタ制御部１１２にて特定された送信周波数を音声で出力する。この場合、特定された送信周波数を音声でユーザに知らせることが可能になる。
【０１４６】
このため、ユーザは、その音声に基づいて、ＦＭ放送受信機２００の受信周波数を、その特定された送信周波数に設定すれば、ＦＭ放送受信機２００に送信信号を受信させることが可能になる。
【０１４７】
次に、本発明の第２実施例を説明する。
【０１４８】
本発明の第２実施例では、携帯電話機ではなく、ＦＭ放送受信機が、送信信号の周波数を決定する。
【０１４９】
図５は、本発明の第２実施例の情報通信システムを示したブロック図である。なお、図５において、図１に示したものと同一のものには同一符号を付してある。
【０１５０】
図５において、本情報通信システムは、ＦＭ放送受信機４００と、携帯電話機５００とを含む。
【０１５１】
ＦＭ放送受信機４００は、例えば、携帯電話機５００と無線通信可能なカーオーディオ機器であり、アンテナ部２００ａと、ＦＭチューナ部２００ｂと、スピーカ２００ｄと、制御部４０１と、無線部４０２と、無線通信用アンテナ部４０３とを含む。
【０１５２】
携帯電話機５００は、無線通信用アンテナ部５０１と、無線部５０２と、制御部５０３と、ＦＭトランスミッタ部５０４と、ユーザインタフェイス部１０５と、記憶部１０８とを含む。ＦＭトランスミッタ部５０４は、発振部１１３と、送信部１１４とを含む。
【０１５３】
なお、以下では、無線通信用アンテナ部４０３をアンテナ部４０３と称し、無線通信用アンテナ部５０１をアンテナ部５０１と称する。
【０１５４】
制御部４０１は、ＦＭチューナ部２００ｂの受信周波数をＦＭ放送周波数帯（所定周波数帯）内で変更していき、その変更の間にＦＭチューナ部２００ｂが受信した信号の周波数を検出する。
【０１５５】
また、制御部４０１は、その検出された周波数と異なる周波数を、ＦＭ放送周波数帯から特定する。
【０１５６】
また、制御部４０１は、その特定された周波数を、受信周波数として、ＦＭチューナ部２００ｂに設定する。
【０１５７】
また、制御部４０１は、その特定された周波数を、無線部４０２に提供する。
【０１５８】
無線部４０２は、制御部４０１にて特定された周波数をアンテナ部４０３から送信する。
【０１５９】
携帯電話機５００の無線部５０２は、無線部４０２から送信された周波数を、アンテナ部５０１を介して受信する。無線部５０２は、その受信された周波数を、制御部５０３に提供する。
【０１６０】
制御部５０３は、無線部５０２から周波数を受け付けると、その受け付けられた周波数の信号を、発振部１１３に生成させる。
【０１６１】
また、制御部５０３は、再生用の情報を送信部１１４に提供する。例えば、制御部５０３は、記憶部１０８に格納されている音楽情報を、再生用の情報として、送信部１１４に提供する。
【０１６２】
送信部１１４は、発振部１１３から提供された信号を、制御部５０３から提供された再生用の情報に基づいてＦＭ変調して送信信号を生成する。送信部１１４は、その生成された送信信号に対して増幅等の処理を行い、その処理が施された送信信号を、アンテナ部１１５から送信する。
【０１６３】
なお、無線部４０２と無線部５０２とは、ＢｌｕｅＴｏｏｔｈまたは赤外線を用いて、通信する。また、無線部４０２は、テレマティクス（telematics）の通信システムなどの通信手段を用いて、無線部５０２と通信してもよい。
【０１６４】
次に、動作の概要を説明する。
【０１６５】
本実施例では、ＦＭ放送受信機４００が、ＦＭ放送信号の周波数を検索してＦＭトランスミッタ部５０４の送信周波数を決定し、その送信周波数を携帯電話機５００に送る。携帯電話機５００は、その送られた送信周波数を、ＦＭトランスミッタ部５０４の送信周波数として設定する。
【０１６６】
次に、動作を説明する。
【０１６７】
図６は、図５に示した情報通信システムの動作を説明するためのフローチャートである。以下、図６を参照して、図５に示した情報通信システムの動作を説明する。
【０１６８】
まず、ユーザインタフェイス部１０５が、ユーザから、周波数検索を行う旨の検索開始指示を受け付けると、制御部５０３は、ステップ６０１を実行する。
【０１６９】
ステップ６０１では、制御部５０３は、周波数検索を行う旨の検索開始情報を、無線部５０２に提供する。無線部５０２は、検索開始情報を受け付けると、その受け付けられた検索開始情報を、アンテナ部５０１から送信する。
【０１７０】
ＦＭ放送受信機４００の制御部４０１は、無線部４０２がアンテナ部４０３を介して検索開始情報を受け付けると、ステップ６０２および６０３を実行する。
【０１７１】
ステップ６０２および６０３では、制御部４０１は、ＦＭチューナ部２００ｂの受信周波数をＦＭ放送周波数帯（所定周波数帯）内で変更していき、その変更の間にＦＭチューナ部２００ｂが受信した信号の周波数を検出する。
【０１７２】
制御部４０１は、ＦＭチューナ部２００ｂが受信した信号の周波数を検出すると、ステップ６０４を実行する。
【０１７３】
ステップ６０４では、制御部４０１は、その検出された周波数と異なる周波数を、ＦＭ放送周波数帯から特定し、その特定された周波数を、通信用周波数（送信周波数および受信周波数）として認識する。制御部４０１は、通信用周波数を認識すると、ステップ６０５を実行する。
【０１７４】
ステップ６０５では、制御部４０１は、その通信用周波数を、受信周波数として、ＦＭチューナ部２００ｂに設定する。制御部４０１は、ＦＭチューナ部２００ｂの受信周波数を設定すると、ステップ６０６を実行する。
【０１７５】
ステップ６０６では、制御部４０１は、その通信用周波数を、無線部４０２に提供する。無線部４０２は、その提供された通信用周波数をアンテナ部４０３から送信する。
【０１７６】
携帯電話機５００の制御部５０３は、無線部５０２がアンテナ部５０１を介して通信用周波数を受け付けると、ステップ６０７を実行する。
【０１７７】
ステップ６０７では、制御部５０３は、その受け付けられた通信周波数の信号を、発振部１１３に生成させる。制御部５０３は、通信周波数の信号を発振部１１３に生成させると、ステップ６０８を実行する。
【０１７８】
ステップ６０８では、まず、制御部５０３は、再生用の情報を送信部１１４に提供する。例えば、制御部５０３は、記憶部１０８に格納されている音楽情報を、再生用の情報として、送信部１１４に提供する。
【０１７９】
送信部１１４は、発振部１１３から提供された信号を、制御部５０３から提供された再生用の情報に基づいてＦＭ変調して送信信号を生成する。送信部１１４は、その生成された送信信号に対して増幅等の処理を行い、その処理が施された送信信号を、アンテナ部１１５から送信する。
【０１８０】
ＦＭ放送受信機４００のＦＭチューナ部２００ｂは、携帯電話機５００から送信された送信信号を受信する。ＦＭチューナ部２００ｂは、その受信された送信信号を制御部４０１に提供する。
【０１８１】
制御部４０１は、その提供された送信信号を復調して再生用の情報を生成し、その生成された再生用の情報に応じた音を、スピーカ２００ｄから出力する。
【０１８２】
図７は、図６に示したステップ６０２および６０３の一例を説明するためのフローチャートである。
【０１８３】
以下、図７を参照して、ステップ６０２および６０３の一例を説明する。
【０１８４】
ＦＭ放送受信機４００の制御部４０１は、無線部４０２がアンテナ部４０３を介して検索開始情報を受け付けると、ステップ７０１を実行する。
【０１８５】
ステップ７０１では、制御部４０１は、ＦＭチューナ部２００ｂを起動させる。制御部４０１は、ＦＭチューナ部２００ｂを起動させると、ステップ７０２を実行する。
【０１８６】
ステップ７０２では、制御部４０１は、ＦＭ放送周波数帯全域で周波数掃引するために、検索開始周波数（例えば、ＦＭ放送周波数帯の最小周波数）を、検索周波数として設定する。制御部４０１は、検索周波数を設定すると、ステップ７０３を実行する。
【０１８７】
ステップ７０３では、制御部４０１は、その検索周波数をＦＭチューナ部２００ｂに設定する。ＦＭチューナ部２００ｂは、その設定された周波数で受信を開始する。制御部４０１は、ＦＭチューナ部２００ｂが受信を開始すると、ステップ７０４を実行する。
【０１８８】
ステップ７０４では、制御部４０１は、ＦＭチューナ部２００ｂにて受信された電波の信号強度（検波レベル）が、予め決められた閾値以上か否かを判断する。
【０１８９】
制御部４０１は、その信号強度が閾値以上であると、その周波数は混信の恐れがある周波数であると判断してステップ７０５を実行し、また、その信号強度が閾値以上であると、ステップ７０６を実行する。
【０１９０】
ステップ７０５では、制御部４０１は、ＦＭチューナ部２００ｂに設定されている検索周波数を、制御部４０１に格納する。制御部４０１は、その検索周波数を格納すると、ステップ７０６を実行する。
【０１９１】
ステップ７０６では、制御部４０１は、ＦＭチューナ部２００ｂに設定されている検索周波数が、検索終了周波数（例えば、ＦＭ放送周波数帯の最大周波数）であるか否かを判断する。
【０１９２】
制御部４０１は、その設定されている検索周波数が検索終了周波数でないと、ステップ７０７を実行し、一方、その設定されている検索周波数が検索終了周波数であると、ステップ６０４を実行する。
【０１９３】
ステップ７０７では、制御部４０１は、検索周波数を変更する。検索周波数の変更ステップ量は、例えば、１００ｋＨｚである。なお、制御部４０１は、検索周波数の変更ステップ量を、例えば、ユーザからの指示に基づいて任意の量に設定してもよい。制御部４０１は、検索周波数を変更すると、ステップ７０３を実行する。
【０１９４】
このため、ステップ７０３からステップ７０７が繰り返されて、検索周波数が検索終了周波数になると、図６に示したステップ６０４が実行される。
【０１９５】
よって、混信の可能性がある周波数リストが、制御部４０１に作成される。
【０１９６】
なお、本実施例は、以下のように変形されてもよい。
【０１９７】
１．制御部４０１は、ＦＭ放送受信機４００が携帯電話機５００から送信される検索開始情報を受け付けたときだけでなく、ＦＭ放送受信機４００がユーザから検索開始情報を受け付けたときにも、通信周波数の設定を行ってもよい。
【０１９８】
２．制御部４０１は、通信用周波数を無線通信で送るのではなく、ＦＭ放送受信機４００に設けられた表示部に、その通信用周波数を示したＱＲコードを表示してもよい。
【０１９９】
この場合、例えば、ＱＲコードをデコードするデコード部を有する携帯電話機５００の制御部５０３は、そのデコード部が、ＦＭ放送受信機４００の表示部に表示されたＱＲコードをデコードして通信用周波数を取得すると、その通信用周波数の信号を発振部１１３から出力させる。
【０２００】
本実施例によれば、携帯電話機５００ではなく、ＦＭ放送受信機４００が、受信周波数を所定周波数帯内で変更していき、その変更の間に受信された信号の周波数を検出し、その検出された周波数と異なる周波数を所定周波数帯から特定する。
【０２０１】
このため、携帯電話機５００は、従来のように受信周波数をＦＭ周波数帯全域に渡って変更して受信可能な信号の周波数を検出する必要がなくなる。よって、携帯電話機５００の消費電力を抑えることが可能になる。
【０２０２】
また、ＦＭ放送受信機４００は、その特定された周波数を受信周波数として設定し、また、その特定された周波数を出力する。
【０２０３】
このため、送信信号の送信周波数が、その出力された周波数に設定されれば、送信信号の周波数は、ＦＭ放送受信機４００にて受信可能な放送信号の周波数と異なる。よって、携帯電話機５００から送信された信号と放送信号との混信を防止することが可能になる。また、ＦＭ放送受信機４００の受信周波数が、自動的に設定される。
【０２０４】
また、本実施例では、無線部４０２は、その特定された周波数を、携帯電話機５００に送信する。この場合、携帯電話機５００は、その送信された周波数を受信し、送信信号の送信周波数を、その受信された周波数に設定することが可能になる。
【０２０５】
また、ＦＭ放送受信機４００が、その特定された周波数を示す周波数情報を表示すれば、携帯電話機５００は、その表示された周波数を取り込み、送信信号の送信周波数を、その取り込まれた周波数に設定することが可能になる。
【０２０６】
なお、上記各実施例は、以下のように変形されてもよい。
【０２０７】
１．送信信号を送信する送信部１１４を含むトランスミッタは、ＦＭトランスミッタに限らず、デジタルラジオ、デジタルＴＶ、アナログＴＶなどの周波数帯を使ったトランスミッタでもよい。
【０２０８】
２．再生用の情報は、音声情報に限らず、映像情報でもよい。
【０２０９】
３．送信信号を送信する送信部１１４を含むトランスミッタは、携帯電話機またはＦＭ放送受信機にて特定された混信する可能性の少ない、複数の周波数で送信信号を送信してもよい。
【０２１０】
上記実施例によれば、以下のような効果を奏する。
【０２１１】
１．放送周波数を避けた送信周波数でＦＭトランスミッタを使用できるため、混信が生じにくい。
【０２１２】
２．送信周波数を自動で選択できるため、送信周波数を設定する手間がなくなる。
【０２１３】
３．第２実施例によれば、送信周波数と受信周波数との双方の設定を自動的に行うことが可能になる。
【０２１４】
以上説明した各実施例において、図示した構成は単なる一例であって、本発明はその構成に限定されるものではない。
【０２１５】
例えば、上記各実施例では、所定変調方式がＦＭ変調方式であり、放送信号がＦＭ放送信号であり、所定周波数帯がＦＭ放送周波数帯であったが、それらは適宜変更可能である。
【図面の簡単な説明】
【０２１６】
【図１】本発明の第１実施例の情報通信システムを示すブロック図である。
【図２】記憶部１０９の一例を示した説明図である。
【図３】携帯電話機１００の動作を説明するためのフローチャートである。
【図４】ＬＣＤ表示部１０６の画面の一例を示した説明図である。
【図５】本発明の第２実施例の情報通信システムを示したブロック図である。
【図６】第２実施例の動作を説明するためのフローチャートである。
【図７】第２実施例の動作の一例を説明するためのフローチャートである。
【符号の説明】
【０２１７】
１００      携帯電話機
１０１      携帯電話用アンテナ部
１０２      携帯電話無線部
１０３      携帯電話変復調部
１０４      携帯電話制御部
１０５      ユーザインタフェイス部
１０６      ＬＣＤ表示部
１０７      音声出力部
１０８      記憶部
１０９      記憶部
１１０      ＧＰＳ用アンテナ部
１１１      ＧＰＳ部
１１２      ＦＭトランスミッタ制御部
１１３      ＦＭトランスミッタ用局発部
１１４      送信部
１１４ａ    ＦＭトランスミッタ無線部
１１４ｂ    ＦＭトランスミッタ変調部
１１５      ＦＭトランスミッタ用アンテナ部
２００      ＦＭ放送受信機
２００ａ    アンテナ部
２００ｂ    ＦＭチューナ部
２００ｃ    制御部
２００ｄ    スピーカ
４００      ＦＭ放送受信機
４０１      制御部
４０２      無線部
４０３      無線通信用アンテナ部
５００      携帯電話機
５０１      無線通信用アンテナ部
５０２      無線部
５０３      制御部
５０４      ＦＭトランスミッタ部
【図１】
2007036583.tif 000003
【図２】
2007036583.tif 000004
【図３】
2007036583.tif 000005
【図４】
2007036583.tif 000006
【図５】
2007036583.tif 000007
【図６】
2007036583.tif 000008
【図７】
2007036583.tif 000009